(57)【特許請求の範囲】
【請求項１】
電柱又は建造物に設けられている電気機器装着体の上に設置して、電気機器を吊り上げ又は吊り降ろしする作業に使用する揚重装置であって、
所要長さを有するビーム部材と、
該ビーム部材の先端部又はその近傍に備えられる滑車要素と、
前記ビーム部材を下側から支持する支持部材と、
該支持部材の下端に設けられ、前記電気機器装着体の上に取り付けるための取着手段と、を備え、
前記電気機器装着体の上に設置したとき、前記滑車要素が電気機器装着体より上側に位置するようにしてあり、
前記支持部材は、前記ビーム部材の長手方向の先端側に設けられている第１支持部材と、後端側に設けられている第２支持部材により構成され、前記第１支持部材及び前記第２支持部材の下端には、垂直方向に配置されている軸要素を有し、前記第１支持部材及び第２支持部材の下端には取着手段が設けられ、該取着手段は、前記軸要素を中心として水平方向に回動できるように取り付けられている、
揚重装置。
【請求項２】
電柱又は建造物に設けられている電気機器装着体の上に設置して、電気機器を吊り上げ又は吊り降ろしする作業に使用する揚重装置であって、
所要長さを有するビーム部材と、
該ビーム部材の先端部又はその近傍に備えられる滑車要素と、
前記ビーム部材を下側から支持する支持部材と、
該支持部材の下端に設けられ、前記電気機器装着体の上に取り付けるための取着手段と、を備え、
前記電気機器装着体の上に設置したとき、前記滑車要素が電気機器装着体より上側に位置するようにしてあり、
前記支持部材は、前記ビーム部材の長手方向の先端側に設けられている第１支持部材と、後端側に設けられている第２支持部材により構成され、前記第２支持部材の下端には、垂直方向に配置されている軸要素を有し、前記第２支持部材の下端には取着手段が設けられ、該取着手段は、前記軸要素を中心として水平方向に回動できるように取り付けられている、
揚重装置。
【請求項３】
前記第１支持部材を前記第２支持部材より長く形成して前記ビーム部材の先端側を後端側より高く位置させるようにした、
請求項１又は２の揚重装置。
【請求項４】
前記第１支持部材はヒンジ要素を介して前記ビーム部材に沿って折り畳みできるよう取り付けられている、
請求項３の揚重装置。
【請求項５】
前記第２支持部材は、底壁と、該底壁の両側端から立設されており前記底壁を隔てて対峙する一対の側壁を備え、該一対の側壁と前記底壁とで囲まれた空間に前記ビーム部材を収容し、前記軸要素で前記両側壁と前記ビーム部材を貫通して取り付けられている、
請求項１、２、３又は４の揚重装置。
【発明の詳細な説明】
【技術分野】
【０００１】
本発明は、揚重装置に関するものである。更に詳しくは、開閉器やトランス等の重量物である電気機器を主として電柱上の腕金等に取り付ける際に、腕金が電柱の上端近くに固定されていても、電気機器を腕金に近い十分な高さまで吊り上げることができるようにして、吊り上げ作業を行う揚重装置に関する。
【背景技術】
【０００２】
電柱上に取り付けられている開閉器やトランス等の電気機器は、定期的に交換されている。この交換作業には、通常はゴンドラを有する高所作業車が使用されているが、近隣に障害物がある等、高所作業車を乗り入れることができないところでは、作業者が電柱に昇って交換作業を行っている。このように、作業者が電柱上において重量物である電気機器を取り扱う作業を助ける装置としては、例えば、特許文献１に記載の柱装吊上装置がある。
【０００３】
この柱装吊上装置は、電柱に取り付けられる柱取付部材と、柱取付部材に取り付けられるアーム部材と、アーム部材に設けられて該アーム部材の先端側に向けて傾斜するガイド面を有するガイドレールと、ガイドレールに沿って移動自在に案内される支持部材とを備え、支持部材には機器を吊り上げるための吊上手段を吊持するための吊持部が設けられ、支持部材とアーム部材の基部の間には引張手段が介装され、機器が吊上手段によって吊り上げられた状態で引張手段を操作することで、支持部材をガイドレールに沿う方向に移動させることができるように構成されており、電柱上に設置されるトランス等の電気機器を位置調整自在に吊り上げることができるというものである。
【先行技術文献】
【特許文献】
【０００４】
【特許文献１】特開２００７−２０２３３９
【発明の概要】
【発明が解決しようとする課題】
【０００５】
しかしながら、前記従来の柱装吊上装置には、次のような課題があった。
すなわち、電気機器は、その多くが電柱に固定されている腕金に取り付けられるようになっているが、この腕金は、多くの場合、電柱の上端近くに固定されている。
腕金に電気機器を取り付ける際に、腕金が電柱の上端近くに固定されていると、電柱の腕金より上方にはアーム部材を取り付けるためのスペースがなく、柱装吊上装置を使用した吊り上げ作業を行うことはできなかった。
【０００６】
また、腕金が電柱の上端近くに固定されていると、仮に電柱の腕金より上方にアーム部材を取り付けることができたとしても、アーム部材と腕金が近すぎるために、柱装吊上装置が滑車や電動ホイスト等の吊上手段をアーム部材に吊り下げる仕様であることも相まって、電気機器を腕金に近い十分な高さまで吊り上げることが困難であった。
このため、吊り上げた電気機器を腕金に取り付ける際には、作業者が取付高さまで持ち上げる必要があるので、電柱上の作業者にかかる負担がきわめて大きく、作業の安全性にも課題があった。このことは、電柱だけでなく建造物の躯体に腕金やアングル材を取り付けている場合も前記と同様の課題がある。
【０００７】
（本発明の目的）
本発明は、開閉器やトランス等の重量物である電気機器を電柱上又は建造物の躯体に固定された腕金等の電気機器装着体に取り付ける際に、電気機器装着体が電柱の上端近くに固定されていても、電気機器を電気機器装着体に近い十分な高さまで吊り上げることができ、吊り上げた電気機器を電気機器装着体に固定する作業が容易にできるようにして電柱上の作業者にかかる負担を軽減し、作業の安全性を向上させた揚重装置を提供することを目的とする。
【課題を解決するための手段】
【０００８】
（１）本発明は、
電柱又は建造物に設けられている電気機器装着体の上に設置して、電気機器を吊り上げ又は吊り降ろしする作業に使用する揚重装置であって、
所要長さを有するビーム部材と、
該ビーム部材の先端部又はその近傍に備えられる滑車要素と、
前記ビーム部材を下側から支持する支持部材と、
該支持部材の下端に設けられ、前記電気機器装着体の上に取り付けるための取着手段と、を備え、
前記電気機器装着体の上に設置したとき、前記滑車要素が電気機器装着体より上側に位置するようにしてあり、
前記支持部材は、前記ビーム部材の長手方向の先端側に設けられている第１支持部材と、後端側に設けられている第２支持部材により構成され、前記第１支持部材及び前記第２支持部材の下端には、垂直方向に配置されている軸要素を有し、前記第１支持部材及び第２支持部材の下端には取着手段が設けられ、該取着手段は、前記軸要素を中心として水平方向に回動できるように取り付けられている、
揚重装置である。
【０００９】
（２）本発明は、
電柱又は建造物に設けられている電気機器装着体の上に設置して、電気機器を吊り上げ又は吊り降ろしする作業に使用する揚重装置であって、
所要長さを有するビーム部材と、
該ビーム部材の先端部又はその近傍に備えられる滑車要素と、
前記ビーム部材を下側から支持する支持部材と、
該支持部材の下端に設けられ、前記電気機器装着体の上に取り付けるための取着手段と、を備え、
前記電気機器装着体の上に設置したとき、前記滑車要素が電気機器装着体より上側に位置するようにしてあり、
前記支持部材は、前記ビーム部材の長手方向の先端側に設けられている第１支持部材と、後端側に設けられている第２支持部材により構成され、前記第２支持部材の下端には、垂直方向に配置されている軸要素を有し、前記第２支持部材の下端には取着手段が設けられ、該取着手段は、前記軸要素を中心として水平方向に回動できるように取り付けられている、
揚重装置である。
【００１０】
（３）本発明は、
前記第１支持部材を前記第２支持部材より長く形成して前記ビーム部材の先端側を後端側より高く位置させるようにした、
前記（１）又は（２）の揚重装置である。
【００１１】
（４）本発明は、
前記第１支持部材はヒンジ要素を介して前記ビーム部材に沿って折り畳みできるよう取り付けられている、
前記（３）の揚重装置である。
【００１２】
（５）本発明は、
前記第２支持部材は、底壁と、該底壁の両側端から立設されており前記底壁を隔てて対峙する一対の側壁を備え、該一対の側壁と前記底壁とで囲まれた空間に前記ビーム部材を収容し、前記軸要素で前記両側壁と前記ビーム部材を貫通して取り付けられている、
前記（１）、（２）、（３）又は（４）の揚重装置である。
【００１３】
（削除）
【００１４】
本明細書及び特許請求の範囲にいう「電気機器装着体」の用語は、電柱上に取り付けられている腕金の他、建造物の躯体に取り付けられているアングル材で組まれた部材等を含む意味で使用している。
また、本明細書及び特許請求の範囲にいう「滑車要素」の用語は、例えば滑車、電動ホイスト、或いはチェーンブロック等、重量物を吊り上げたり吊り降ろしたりすることができる各種公知手段を含む意味で使用している。
【００１５】
（作用）
本発明に係る揚重装置の作用を説明する。
作業者が揚重装置を持って電柱上に昇り、例えば電柱上部に固定されている腕金等の電気機器装着体に対し、支持部材を取着手段によって取り付けることにより、揚重装置を電気機器装着体の上に設置する。
揚重装置の取付状態においては、ビーム部材は電気機器装着体より上にあり、ビーム部材が支持部材で支えられていることにより、ビーム部材に備えられる滑車要素は電気機器装着体より高い位置にある。
【００１６】
電柱上の作業者は、地上の作業者と協力し、滑車要素を使用して開閉器等の電気機器を吊り上げる。揚重装置は、ビーム部材に設けられている滑車要素が電気機器装着体から十分に高い位置にあるので、電気機器は電気機器装着体の高さ（例えば電気機器装着体の下面に電気機器の上部が当たる高さ）又はその近傍まで吊り上げることができる。
【００１７】
この状態から、電柱上の作業者は、取付金具等を使用して電気機器を電気機器装着体に装着する作業を行うが、その際に作業者が重量物である電気機器を前記従来の装置のように電気機器装着体の高さまで持ち上げる必要はなく、高さを保ったまま横方向に押したり引いたりして横方向の位置を合わせるだけでよいので、作業者にかかる肉体的負担が軽減される。
【００１８】
支持部材が、ビーム部材の長手方向の先端側に設けられている第１支持部材と、後端側に設けられている第２支持部材により構成され、前記第１支持部材及び第２支持部材の下端には、垂直方向に配置されている軸要素を有し、前記第１支持部材及び第２支持部材の下端に設けられている取着手段が、前記軸要素を中心として水平方向に回動できるように取り付けられているものは、電気機器装着体に対する取着手段の取着位置を調節できる。これにより、例えば、電柱上に固定されている電気機器装着体の長さに違いがあっても、各条件に合わせて柔軟に対応することができ、揚重装置を安定した状態で取り付けることができる。
【００１９】
第１支持部材を第２支持部材より長く形成してビーム部材の先端側を後端側より高く位置させるようにしたものは、ビーム部材の先端部又はその近傍に備えられる滑車要素の高さを揚重作業がしやすい十分な高さに設定することができる。
【００２０】
第１支持部材がヒンジ要素を介してビーム部材に沿って折り畳みできるよう取り付けられているものは、折り畳んで揚重装置の外形を小さく纏めることができるので、運搬や収納がしやすく、取り扱い性に優れる。
【発明の効果】
【００２１】
本発明は、例えば開閉器やトランス等の重量物である電気機器を電柱上に固定された腕金等に装着する際に、腕金が電柱の上端近くに固定されていても、電気機器を腕金の高さ又はその近傍の十分な高さまで吊り上げることができるので、吊り上げた電気機器を腕金に固定する作業を容易に行うことができ、電柱上の作業者にかかる負担を軽減して作業の安全性を向上させることができる揚重装置が提供できる。
【図面の簡単な説明】
【００２２】
【図１】本発明に係る揚重装置の第１の実施の形態を示す斜視図。
【図２】図１に示す揚重装置の使用状態を示す説明図。
【図３】本発明に係る揚重装置の第２の実施の形態を示す斜視図。
【図４】本発明に係る揚重装置の第３の実施の形態を示す斜視図。
【図５】図４に示す揚重装置の使用状態を示す説明図。
【図６】腕金に対する支脚部材の取付構造を示す説明図。
【図７】揚重装置を折り畳んだ状態を示す説明図。
【発明を実施するための形態】
【００２３】
本発明を図面に示した実施の形態に基づき詳細に説明する。
図１を参照する。
【００２４】
揚重装置Ａ１は、例えば電柱９（後記する図２参照）の上端部に固定されており開閉器やトランス等の電気機器を取り付けるための電気機器装着体である腕金９０、９１に取り付けて使用される。なお、一箇所に固定される腕金は二本に限定されるものではなく、一本の場合もある。
【００２５】
揚重装置Ａ１は、木製で四角柱状のビーム部材（ビーム）１を備えている。ビーム部材１は絶縁体で形成するのが好ましく、プラスチック製でもよい。ビーム部材１の前端部（図１で左端部）は、ビーム部材１の長手方向に対し直角に形成されており、後端部は長手方向に対し４５°の角度で形成されている。また、ビーム部材１の後端部寄りには、側面と直角方向に両側面間を貫通して取付孔１４が形成されている。
【００２６】
ビーム部材１の前端部には、吊下具であるアイボルト１０が固定されている。アイボルト１０は、ビーム部材１に上下面間を貫通して設けられた取付孔１１にボルト部１００を下面側から上面側へ挿通し、下端のリング１０１をビーム部材１の下面側に突出させ、ボルト部１００の上端部にナット１０２を締め付けて固定されている。アイボルト１０の取付角度は、ビーム部材１の長手方向に対し４５°に設定されており、ビーム部材１が水平に固定された腕金９０、９１に対し４５°の角度で固定されたときに、アイボルト１０が鉛直方向となるようにしてある。
【００２７】
ビーム部材１の前部寄りの下面側には、天面がビーム部材１の長手方向と平行になるように係合凹部１５が形成されている。係合凹部１５のやや下方側には、取付孔１２がビーム部材１の上下面間を貫通して設けられている。取付孔１２は、ビーム部材１の長手方向に対し４５°の角度で形成されており、ビーム部材１が水平に固定された腕金９０、９１に対し４５°の角度で固定されたときに水平方向になるようにしてある。
【００２８】
ビーム部材１の下面側の係合凹部１５近傍には、支持部材である前部支持脚２が取り付けられている。前部支持脚２は、後記前部支持具３と共に第１支持部材を構成する。前部支持脚２は、金属製の四角管体で形成されている。なお、前部支持脚２は、木製やプラスチック製でもよい。前部支持脚２の上端部は、長手方向に対し４５°の角度で形成されている。前部支持脚２の上端部寄りには、長手方向に対し直角方向に取付孔２０が貫通して形成されている。前部支持脚２の下端部は、長手方向に対し直角方向に形成されている。また、前部支持脚２の下部寄りには、長手方向に対し直角方向に取付孔２１が貫通して形成されている。
【００２９】
前部支持脚２は、まずビーム部材１の前記取付孔１２にビーム部材１の上面側から連結具１３のボルト１３０を挿通し、取付孔１２からビーム部材１の下面側へ突出したボルト１３０先部に前記取付孔２０を嵌め入れ、更に前部支持脚２の上端部を嵌め入れて、ボルト１３０にナット１３１を締め込んで固定されている。これにより、前部支持脚２は、ビーム部材１が水平に固定された腕金９０、９１に対し４５°の角度で固定されたときに、鉛直方向になるようにしてある。なお、前記連結具１３のボルト１３０の挿通方向は前記と逆方向でもよい。
【００３０】
前部支持脚２の下部には、支持部材である前部支持具３が取り付けられている。前部支持具３は、金属製の細長い長方形の板をコ字状に折り曲げた形状であり、後記する後部支持具４と共に可動部材を構成する。前部支持具３の互いに平行な側板３０、３１の先端部寄りには通し孔（符号省略）が貫通して形成されており、底板３２にも通し孔（符号省略）が形成されている。
前部支持具３は、側板３０、３１で前記前部支持脚２を挟むように嵌め入れ、前部支持脚２の取付孔２１と側板３０、３１の通し孔にボルトとナットからなる連結具３３を通し、連結具３３を中心に回動自在に取り付けられている。前部支持具３は、回動するときに底板３２の上面が前部支持脚２の下端部に当たらないようになっている。
【００３１】
前部支持具３の下部には、取着手段である取着部材５が取り付けられている。取着部材５は、金属製の細長い長方形の板をコ字状に折り曲げた形状であり、互いに平行な側板５０、５１の先端部寄りには通し孔５５（上下の通し孔は図１では見えない）が貫通して六箇所に形成されており、天板５２にも通し孔（符号省略）が形成されている。
取着部材５は、天板５２の通し孔と前部支持具３の底板３２の通し孔にボルトとナットからなる軸要素である連結具５３を通し、連結具５３のボルトの軸線を中心として回る方向へ回動自在に取り付けられている。
【００３２】
前記側板５０、５１の各通し孔５５のうち上側と下側の通し孔５５には、図１に示すようにボルトとナットからなる締付具５４が合計四箇所に取り付けられている。なお、側板５０、５１の間隔は、揚重装置Ａ１を取り付ける腕金９０、９１の横幅よりやや幅広に形成され、上下の通し孔５５に取り付けられた各締付具５４の間隔は、腕金９０、９１の縦幅よりやや幅広に形成されている。
【００３３】
ビーム部材１の後端部寄りには、第２支持部材である後部支持具４が取り付けられている。後部支持具４は、前記前部支持具３より幅が広い金属製の細長い長方形の板をコ字状に折り曲げた形状である。後部支持具４の互いに平行な側板４０、４１の先端部寄りには通し孔（符号省略）が貫通して形成されており、底板４２にも通し孔（符号省略）が形成されている。
後部支持具４は、側板４０、４１で前記ビーム部材１を挟むように嵌め入れ、ビーム部材１の取付孔１４と側板４０、４１の通し孔にボルトとナットからなる軸要素である連結具４３を通し、連結具４３を中心に回動自在に取り付けられている。
【００３４】
後部支持具４の下部には取着部材５と同様の構造を有する取着部材５ａが取り付けられている。取着部材５ａは、金属製の細長い長方形の板をコ字状に折り曲げた形状であり、互いに平行な側板５０ａ、５１ａの先端部寄りには通し孔５５ａが貫通して六箇所に形成されており、天板５２ａにも通し孔（符号省略）が形成されている。
取着部材５ａは、天板５２ａの通し孔と後部支持具４の底板４２の通し孔にボルトとナットからなる軸要素である連結具５３ａを通し、連結具５３ａのボルトの軸線を中心として回る方向へ回動自在に取り付けられている。
【００３５】
前記側板５０ａ、５１ａの各通し孔５５ａのうち上側と下側の通し孔５５ａには、ボルトとナットからなる締付具５４ａが合計四箇所に取り付けられている。なお、側板５０ａ、５１ａの間隔は、揚重装置Ａ１を取り付ける腕金９０、９１の横幅よりやや幅広に形成され、上下の通し孔５５ａに取り付けられた各締付具５４ａの間隔は、腕金９０、９１の縦幅よりやや幅広に形成されている。
【００３６】
取着部材５、５ａは、各四本の締付具５４、５４ａの内側に形成される空間を腕金９０、９１に嵌め入れて適当な位置にスライドさせ、各締付具５４、５４ａを必要に応じて締め付けることで腕金９０、９１に取り付けることができる。また、取着部材５、５ａの各通し孔５５、５５ａのうち上下方向中間部の通し孔５５ａは、揚重装置Ａ１を取り付ける部材が一般的な腕金でなく太さや幅がより小さいアングル等の部材であるときに上部側の各締付具５４、５４ａを付け替えて使用するものである。
【００３７】
なお、腕金９０、９１の上下面にあらかじめ取付孔を加工しておけば、取着部材５、５ａを使用せず、前部支持具３及び後部支持具４を連結具５３、５３ａを使用して腕金９０、９１に直接固定することもできる。また、取着部材５、５ａが連結具５３、５３ａのボルトの軸線を中心として回る方向へ回動自在であることにより、後記するように揚重装置Ａ１を腕金９０、９１に取り付けるときに、腕金９０、９１に対する前記ビーム部材１の平面視における方向を斜めにすることが支障なくできる。
【００３８】
更に、前部支持具３が連結具３３を軸として回動自在で角度を変えることができ、同様に後部支持具４が連結具４３を軸として角度を変えることができるので、後記するように揚重装置Ａ１を腕金９０、９１に取り付けるときに、取着部材５、５ａの間隔の微調整が可能であり、取付作業がしやすい利点がある。
【００３９】
（作用）
図１及び図２を参照して、電柱上に新たに開閉器８を取り付ける場合で揚重装置Ａ１の作用を説明する。なお、図２においては、作業者の図示は省略している。
【００４０】
まず、作業者が揚重装置Ａ１を持って電柱上に昇り、電柱９の上部に互いに同じ高さで平行に固定されている腕金９０、９１に取り付ける。揚重装置Ａ１は、図２に示すように、前部支持脚２側の取着部材５を一方の腕金９０に取り付け、ビーム部材１の後部側の取着部材５ａを他方の腕金９１に取り付けて腕金９０、９１間に架設される。
【００４１】
なお、この取付位置では、例えば電柱の周囲に家の軒や木の枝等の障害物があることで吊り上げ作業が困難である場合は、例えば取着部材５、５ａの取付位置を腕金９０、９１に沿ってずらしたり、一方の腕金９０又は９１だけに取り付けたりして吊り上げ位置を変えて障害物を避けるようにする。
【００４２】
ビーム部材１の取着部材５、５ａが設けられている間隔は、腕金９０、９１が設けられている間隔より広いので、取着部材５の取付位置は腕金９０の先端寄りになり、取着部材５ａの取付位置は腕金９１の中間寄りとなる。これにより、アイボルト１０による吊り位置が腕金９０の先端近傍となり、電気機器を吊り上げた後の装柱や取り外した後の吊り降ろしがしやすくなる。
【００４３】
また、揚重装置Ａ１が腕金９０、９１に取り付けられている状態においては、ビーム部材１は腕金９０、９１より上にあり、ビーム部材１が前部支持脚２で支えられていることにより、ビーム部材１はアイボルト１０側が高くなるよう傾斜し、アイボルト１０は比較的高い位置にある。
【００４４】
アイボルト１０のリング１０１に滑車要素である滑車６を取り付ける。あらかじめ揚重装置Ａ１に滑車６を取り付けたものも本発明の揚重装置（符号省略）を構成する。滑車６にワイヤロープ７を掛け、電柱上の作業者と地上の作業者とが協力して、電気機器である開閉器８をワイヤロープ７で吊り上げる。開閉器８の吊り上げ位置（ワイヤロープ７の開閉器８に対する取り付け側の垂下位置）は、腕金９０の先端部よりやや前方で外側に離れた位置になっている。
【００４５】
揚重装置Ａ１は、ビーム部材１のアイボルト１０のリング１０１に吊り下げられている滑車６が腕金９０、９１から十分な高さの位置にあるので、開閉器８は、その上部の掛け金具８０が腕金９０、９１の下面とほぼ接する高さまで吊り上げることができる。なお、図２では、開閉器８の高さを、便宜上、腕金９０、９１の下面よりやや低い位置に止めて表している。
【００４６】
電柱上の作業者は、開閉器８を前記高さまで吊り上げた状態から、固定具９２を使用して開閉器８を腕金９０に取り付ける作業を行う。なお、固定具９２は四本のＪ型の吊りボルト９２０と二枚の吊り板９２１で構成され、各吊りボルト９２０は開閉器８の掛け金具８０にあらかじめ取り付けられ、各吊り板９２１は切欠部のない側の孔が二本の吊りボルト９２０のネジ部に嵌め入れられてナットが螺合されて仮止めされている。
そして、腕金９０に取り付ける際には、各吊り板９２１を開いて腕金９０を通し、その後で各吊り板９２１を閉じて、切欠部のある側の孔を他方の吊りボルト９２０のネジ部に嵌め入れ、ナットで締め付けて腕金９０に固定する。
【００４７】
その際には、電柱上の作業者が重量物である開閉器８をほとんど持ち上げる必要はなく、吊り上げたときの高さを保ったまま横方向（図２では、腕金９０の中間部方向）に押して、所要の位置に合わせて、前記したように固定すればよい。したがって、開閉器８の吊り上げ後の腕金９０への固定作業にそれ程力を必要とせず、作業者にかかる負担を軽減することができると共に、作業を安全に行うことができる。
【００４８】
なお、揚重装置Ａ１を使用すれば、前記のように開閉器８を吊り上げる場合とは概ね逆の手順で開閉器８を吊り降ろすことができる。したがって、開閉器８等の電気機器を交換する場合は、まず、古い電気機器を腕金９０から取り外し、揚重装置Ａ１を使用して電気機器の吊り降ろしを行った後、前記のように新しい開閉器８等の電気機器の吊り上げ作業及び取り付け作業を行うことになる。
【００４９】
図３を参照する。
なお、図３においては、前記揚重装置Ａ１と同一または同等箇所には同一の符号を付して示し、構造について重複する説明は省略する。
揚重装置Ａ２は、前部支持脚２ａを備えている。前部支持脚２ａは、基部寄りを切断し、脚部材２２、２３を蝶番２４で接続した構造である。
【００５０】
前部支持脚２ａは、電気機器の吊り上げ作業をする際には、図１の場合と同様に脚部材２２、２３を真っ直ぐにして使用する。また、運搬や収納の際には、脚部材２２、２３のうち可動側の脚部材２３をビーム部材１側に倒し、バンド（図示省略）で巻き締める等してビーム部材１に固定することができる。これにより、揚重装置Ａ２は、折り畳んで外形を小さく纏めることができるので、運搬や収納がしやすく、取り扱い性に優れている。
【００５１】
図４乃至図７を参照する。
揚重装置Ａ３は、金属製の四角管体で形成されたビーム部材１ｂを備えている。ビーム部材１ｂの前端部（図４で左端部）は蓋板１６で塞がれており、後端部は開口されている。
【００５２】
ビーム部材１ｂの前端部には、金属製の棒状体で形成された吊下具１７が固定されている。吊下具１７は、下端部が円弧状に形成された環状体であり、ビーム部材１ｂの軸線方向と４５°の角度を成して、例えば溶接によって固着されている。なお、吊下具１７は、前記形状に限定されるものではなく、例えば上部側を中断し、棒状体の両先端をビーム部材１ｂの上面に掛けるように曲げた構造とすることもできる。
【００５３】
この構造によれば、揚重装置Ａ３の使用時（図５参照）には、ビーム部材１ｂが腕金９０、９１に対し約４５°の角度で傾斜し、この結果、吊下具１７は鉛直方向となる。また、吊下具１７には、滑車６が取り付けられている。また、吊下具１７に滑車６を予め取り付けないでおき、作業時において別途調達して取り付けることもできる。
【００５４】
ビーム部材１ｂの前部寄りの下面側には、第１支持部材である前部支持脚２ｂが取り付けられている。前部支持脚２ｂは、所要長さの金属製の四角管体で形成された脚本体２２を有している。脚本体２２の取り付け側の端部（図４で上端部）には、四角形の端板２３が、脚本体２２の長手方向に対し４５°の角度で管体の開口部を塞ぐように固着されている。
【００５５】
また、脚本体２２の先端部（下端部）には、四角形の端板２４が脚本体２２の長手方向に対し９０°の角度で開口部を塞ぐように固着されている。端板２４の中心には貫通孔２４０（図６参照）が設けられ、貫通孔２４０には所要長さの固定用ボルト２５が通してある。固定用ボルト２５は、ヘッド部２５０が端板２４の内部側に収められて抜け出ないようになっており、ネジ部２５１にはナット２５２が螺着されている。また、脚本体２２の内部には、固定用ボルト２５が内部に必要以上に入り込まないようにするストッパ（図示省略）が設けられている。
【００５６】
前部支持脚２ｂは、脚本体２２に対する端板２３の傾斜の鈍角側（図４で右側）の脚本体２２角部が蝶番２６を介してビーム部材１ｂの下面に取り付けられている。なお、蝶番２６の代替として、前部支持脚２ｂが回動できるように接続する他の公知手段を採用してもよい。これにより、前部支持脚２ｂは、蝶番２６の軸を中心として約４５°の範囲内で回動させることができる。また、ビーム部材１ｂの後部寄りの下面側には、金具に永久磁石を組み込んだ構造の磁着体１８が固定されている。
【００５７】
前部支持脚２ｂは、端板２３がビーム部材１ｂの下面に当たるまで起こすことにより、ビーム部材１ｂに対し約４５°の角度に設定することができる（図４、図５参照）。また、前部支持脚２ｂを前記とは反対方向へ回動させて先部側を前記磁着体１８に磁着し、ビーム部材１ｂとほぼ平行になるようにして折り畳むことができる。なお、ビーム部材１ｂと前部支持脚２ｂを折り畳んだ状態でバンド２７で纏めることもできる（図７参照）。
【００５８】
ビーム部材１ｂの後端部寄りの側面には、横方向に貫通した取付孔１９が設けられており、取付孔１９には第２支持部材である後部支持具４ｂが取り付けられている。後部支持具４ｂは、金属製の長方形の板をコ字状に折り曲げた形状であり、可動部材を構成するものである。後部支持具４ｂの互いに平行な側板４０、４１の先端部（上端部）寄りには通し孔（符号省略）が貫通して形成されており、底板４２にも通し孔（符号省略）が形成されている。
【００５９】
後部支持具４ｂは、側板４０、４１で前記ビーム部材１ｂを挟むように嵌め入れられ、ビーム部材１ｂに設けられた前記取付孔１９と側板４０、４１の通し孔にボルトとナットからなる軸要素である連結具４３を通し、連結具４３を回動中心として回動自在に取り付けられている。後部支持具４ｂは、回動するときに、後記する連結具５３に対してビーム部材１ｂの上面側の先端が当たり、ビーム部材１ｂの上面方向への回動を所要の位置で止めるようになっている。
【００６０】
後部支持具４ｂの下部側には、取着部材５ｂが取り付けられている。取着部材５ｂは、金属製の長方形の板をコ字状に折り曲げた形状であり、互いに平行な側板５０、５１の先端部（下端部）寄りには一組の通し孔（図示省略）が貫通して形成されており、天板５２にも通し孔（符号省略）が形成されている。
【００６１】
側板５０、５１の各通し孔には、図４に示すようにボルトとナットからなる締付具５４が通されて取り付けられている。なお、側板５０、５１の間隔は、揚重装置Ａ３を取り付ける腕金９０、９１の横幅よりやや幅広に形成されている。そして、取着部材５ｂは、天板５２の通し孔と後部支持具４ｂの底板４２の通し孔にボルトとナットからなる軸要素である連結具５３を通し、後部支持具４ｂに対し連結具５３のボルトの軸線を中心として回る方向へ回動自在に取り付けられている。
【００６２】
（作用）
図４乃至図７を参照して揚重装置Ａ３の作用を説明する。
また、揚重装置Ａ３を腕金９０、９１に設置した状態を示す図５においては、開閉器８及びワイヤロープ７の図示は省略している。
なお、揚重装置Ａ３を腕金９０、９１に設置した後の使用方法、作用については、前記揚重装置Ａ１とほぼ同様であるので説明を省略し、主に揚重装置Ａ３を腕金９０、９１の上に設置する手順について説明する。
【００６３】
まず、作業者が揚重装置Ａ３を持って電柱上に昇り、電柱９の上部に互いに同じ高さで平行に固定されている腕金９０、９１に揚重装置Ａ３を取り付ける。揚重装置Ａ３は、図５に示すように、前部支持脚２ｂ側の固定用ボルト２５を一方の腕金９０に取り付け、ビーム部材１ｂの後部側の取着部材５ｂを他方の腕金９１に取り付けて腕金９０、９１間に架設される。
【００６４】
具体的には、図６に示すように前部支持脚２ｂ側の固定用ボルト２５を一方の腕金９０の先端側に上下方向に貫通した取付孔９３に上側から通し、下側の取付孔９３から下方へ突出したネジ部２５１にナット２５２を螺着して適当に締め付けて固定する。また、ビーム部材１ｂの取着部材５ｂは、腕金９１が締付具５４の上の空間を通るようにして腕金９１に嵌め入れ、取着部材５ｂを適当な位置に止めて締付具５４のナットを締め付けて固定する。揚重装置Ａ３は、固定用ボルト２５による固定が簡単な分だけ、より手早く設置することができる。
【００６５】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００６６】
Ａ１  揚重装置
１  ビーム部材
１０  アイボルト
１００  ボルト部
１０１  リング
１０２  ナット
１１  取付孔
１２  取付孔
１３  連結具
１３０  ボルト
１３１  ナット
１４  取付孔
１５  係合凹部 
２  前部支持脚
２０  取付孔
２１  取付孔
３  前部支持具
３０、３１  側板
３２  底板
３３  連結具
４  後部支持具
４０、４１  側板
４２  底板
４３  連結具
５、５ａ  取着部材
５０、５１  側板
５２  天板
５３  連結具
５４  締付具
５５  通し孔
６  滑車
７  ワイヤロープ
８  開閉器
８０  掛け金具
Ａ２  揚重装置
２ａ  前部支持脚
２２、２３  脚部材
２４  蝶番
Ａ３  揚重装置
１ｂ  ビーム部材
１６  蓋板
１７  吊下具
１８  磁着体
１９  取付孔
２ｂ  前部支持脚
２２  脚本体 
２３  端板
２４  端板
２４０  貫通孔
２５  固定用ボルト
２５０  ヘッド部
２５１  ネジ部
２５２  ナット
２６  蝶番
２７  バンド
４ｂ  後部支持具
５ｂ  取着部材
９  電柱
９０、９１  腕金
９２  固定具
９２０  吊りボルト
９２１  吊り板
９３  取付孔
【図１】
0005571041.tif 000002
【図２】
0005571041.tif 000003
【図３】
0005571041.tif 000004
【図４】
0005571041.tif 000005
【図５】
0005571041.tif 000006
【図６】
0005571041.tif 000007
【図７】
0005571041.tif 000008